【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
複数の大賞図柄と複数の小役図柄とが少なくとも付された三つ以上の回転表示体と、
複数のフラグのうち一または二以上のフラグについての当選成立にかかる抽選を行う抽選手段と、
前記三つ以上の回転表示体に対応して設けられ、回転表示状態にある当該三つ以上の回転表示体のそれぞれを、外部操作によって個々に停止させうる停止操作手段と、
当選成立状態にあるフラグと前記外部操作が行われたタイミングとに基づくすべり情報が設定された複数のすべりテーブルを記憶するテーブル記憶手段と、
前記当選成立状態にあるフラグに対応する図柄組み合わせが示現されるように、前記複数のすべりテーブルのうちいずれかに基づいて前記回転表示体の停止制御を行う停止制御手段と、
停止表示された前記三つ以上の回転表示体を跨る図柄の組み合わせに基づいて、１ゲームの結果としての賞を付与する賞付与手段と、
大賞フラグに対応する複数の大賞図柄の組み合わせのうち、いずれかの組み合わせが示現されたことに基づき、前記賞が付与されうるゲームが複数ゲームにわたって行われる大賞期間を生起させる大賞期間生起手段と、
ゲームの進行に伴って遊技媒体が漸減する漸減ゲーム状態でありながらも、常には前記大賞フラグを当選成立状態とすることで前記大賞期間が常に生起しうるなかで遊技を進行させる常勝惹起手段と、を備え、
前記抽選手段は、前記漸減ゲーム状態にて前記大賞期間の生起が頻出することを回避すべく、常に示現されうる前記小役図柄の組み合わせに対応する小役フラグがさらに当選成立状態となりうる抽選を行うとともに、
前記常勝惹起手段は、
前記小役フラグが当選成立状態であるにもかかわらず、前記小役図柄の組み合わせの示現が回避されるタイミングで前記外部操作が行われた場合に限り前記複数の大賞図柄のうち特定の大賞図柄の組み合わせが示現されることによって、前記大賞期間が生起しうる大賞期間生起可能ゲームと、
前記大賞期間が生起しないよう常に前記小役図柄の組み合わせが示現される大賞期間非生起ゲームと、を実行可能に構成されており、
前記停止制御手段は、
前記大賞期間生起可能ゲームにおいて、
回転表示状態にある全ての前記回転表示体のうち第一の回転表示体についての前記外部操作が行われたことに基づいて前記大賞図柄および前記小役図柄の両方が示現されたとしても、当該示現された大賞図柄が前記特定の大賞図柄でなかった場合には、
前記全ての回転表示体のうち少なくとも前記第一の回転表示体が停止表示状態であって且つ二つ以上の回転表示体が回転表示状態であるときに、当該二つ以上の回転表示体のうちいずれか一の回転表示体である第二の回転表示体について、前記大賞図柄および前記小役図柄の両方を示現可能なタイミングで前記外部操作が行われたとしても、当該ゲームが前記大賞期間生起可能ゲームであることを秘密裏にすべく、
常には、全ての回転表示体が停止表示状態となったときに前記大賞図柄の組み合わせおよび前記小役図柄の組み合わせのうち当該小役図柄の組み合わせが示現する可能性のみが残るように、前記すべりテーブルの一つである秘密裏テーブルに基づいて、当該第二の回転表示体の停止制御を行うゲーム態様秘密裏手段を有する
ことを特徴とする遊技機。
【請求項２】
前記ゲームを開始させるスタート操作手段をさらに備え、
前記抽選手段は、前記スタート操作手段が操作されたことに基づいて所定の乱数を取得し、該取得された乱数を用いて前記一または二以上のフラグについての当選成立にかかる抽選を行う
請求項１に記載の遊技機。
【請求項３】
所定の演出画像が表示される演出表示手段をさらに備える
請求項１又は２に記載の遊技機。
【手続補正２】
【補正対象書類名】明細書
【補正対象項目名】０００８
【補正方法】変更
【補正の内容】
【０００８】
上記課題を解決するための請求項１に係る遊技機は、複数の大賞図柄と複数の小役図柄とが少なくとも付された三つ以上の回転表示体と、複数のフラグのうち一または二以上のフラグについての当選成立にかかる抽選を行う抽選手段と、前記三つ以上の回転表示体に対応して設けられ、回転表示状態にある当該三つ以上の回転表示体のそれぞれを、外部操作によって個々に停止させうる停止操作手段と、当選成立状態にあるフラグと前記外部操作が行われたタイミングとに基づくすべり情報が設定された複数のすべりテーブルを記憶するテーブル記憶手段と、前記当選成立状態にあるフラグに対応する図柄組み合わせが示現されるように、前記複数のすべりテーブルのうちいずれかに基づいて前記回転表示体の停止制御を行う停止制御手段と、停止表示された前記三つ以上の回転表示体を跨る図柄の組み合わせに基づいて、１ゲームの結果としての賞を付与する賞付与手段と、大賞フラグに対応する複数の大賞図柄の組み合わせのうち、いずれかの組み合わせが示現されたことに基づき、前記賞が付与されうるゲームが複数ゲームにわたって行われる大賞期間を生起させる大賞期間生起手段と、ゲームの進行に伴って遊技媒体が漸減する漸減ゲーム状態でありながらも、常には前記大賞フラグを当選成立状態とすることで前記大賞期間が常に生起しうるなかで遊技を進行させる常勝惹起手段と、を備え、前記抽選手段は、前記漸減ゲーム状態にて前記大賞期間の生起が頻出することを回避すべく、常に示現されうる前記小役図柄の組み合わせに対応する小役フラグがさらに当選成立状態となりうる抽選を行うとともに、前記常勝惹起手段は、前記小役フラグが当選成立状態であるにもかかわらず、前記小役図柄の組み合わせの示現が回避されるタイミングで前記外部操作が行われた場合に限り前記複数の大賞図柄のうち特定の大賞図柄の組み合わせが示現されることによって、前記大賞期間が生起しうる大賞期間生起可能ゲームと、前記大賞期間が生起しないよう常に前記小役図柄の組み合わせが示現される大賞期間非生起ゲームと、を実行可能に構成されており、前記停止制御手段は、前記大賞期間生起可能ゲームにおいて、回転表示状態にある全ての前記回転表示体のうち第一の回転表示体についての前記外部操作が行われたことに基づいて前記大賞図柄および前記小役図柄の両方が示現されたとしても、当該示現された大賞図柄が前記特定の大賞図柄でなかった場合には、前記全ての回転表示体のうち少なくとも前記第一の回転表示体が停止表示状態であって且つ二つ以上の回転表示体が回転表示状態であるときに、当該二つ以上の回転表示体のうちいずれか一の回転表示体である第二の回転表示体について、前記大賞図柄および前記小役図柄の両方を示現可能なタイミングで前記外部操作が行われたとしても、当該ゲームが前記大賞期間生起可能ゲームであることを秘密裏にすべく、常には、全ての回転表示体が停止表示状態となったときに前記大賞図柄の組み合わせおよび前記小役図柄の組み合わせのうち当該小役図柄の組み合わせが示現する可能性のみが残るように、前記すべりテーブルの一つである秘密裏テーブルに基づいて、当該第二の回転表示体の停止制御を行うゲーム態様秘密裏手段を有することを特徴とする。
請求項２に係る発明は、請求項１に記載の遊技機において、前記ゲームを開始させるスタート操作手段をさらに備え、前記抽選手段は、前記スタート操作手段が操作されたことに基づいて所定の乱数を取得し、該取得された乱数を用いて前記一または二以上のフラグについての当選成立にかかる抽選を行うことを特徴とする。
請求項３に係る発明は、請求項２に記載の遊技機において、所定の演出画像が表示される演出表示手段をさらに備えることを特徴とする。